(57)【要約】【課題】患者の体圧分布に適合し、患者が快く診療・治療を受けることができるような配慮がなされ、且つデザイン性にも優れた異硬度シートとこれを用いた医療用診療台を提供する。【解決手段】シート底板７ａ（９ａ）と、該シート底板７ａ（９ａ）上に一体成型されたウレタンフォームからなるクッションシート部７ｂ（９ｂ）と、該クッションシート部７ｂ（９ｂ）の表面を覆う表皮材７ｃ（９ｃ）とよりなり、患者Ｐを水平状態で支持する医療用診療台１に用いられる異硬度シート７（９）であって、上記クッションシート部７ｂ（９ｂ）における患者の肩部、臀部或いは足部に相当する部位９Ａ，７Ａ，７Ｂの少なくとも１つの部位の硬度が、その面域方向及び／又は厚み方向における他の部位の硬度より小さく、且つ当該部位と他の部位間で硬度が徐々に変化するよう構成されていることを特徴とする。【選択図】図１
2008048941.tif 000002
【特許請求の範囲】
【請求項１】
シート底板と、該シート底板上に一体成型されたウレタンフォームからなるクッションシート部と、該クッションシート部の表面を覆う表皮材とよりなり、患者を水平状態で支持する医療用診療台に用いられる異硬度シートであって、
上記クッションシート部における患者の肩部、臀部或いは足部等に相当する部位の少なくとも１つの部位の硬度が、その面域方向及び／又は厚み方向における他の部位の硬度より小さく、且つ当該部位と他の部位間で硬度が徐々に変化するよう構成されていることを特徴とする異硬度シート。
【請求項２】
請求項１に記載の異硬度シートにおいて、
金型内に表皮材を配置し、
その上にウレタンフォーム用主原料と硬化剤を含むウレタンフォーム用副原料との混合比率を変えたウレタンフォーム用原料を注入し、
更にその上に予め所定の形状に成型されたシート底板を配置し、
金型とシート底板間でウレタンフォーム用原料を発泡硬化させてシート底板、クッションシート部及び表皮材が一体とされた成型体からなり、
上記主原料と副原料の配合比率の異なるウレタンフォーム用原料の注入によって、クッションシート部における患者の肩部、臀部或いは足部等に相当する部位の少なくとも１つの部位の硬度が、その面域方向及び／又は厚み方向における他の部位の硬度より小さく、
且つ当該部位と他の部位間で硬度が徐々に変化するようにしたものであることを特徴とする異硬度シート。
【請求項３】
請求項１又は請求項２に記載の医療用診療台の異硬度シートにおいて、
前記シート底板が、患者の肩部、臀部或いは足部に相当する部位の少なくとも１つの部位において凹部を備え、この部位のクッションシート部の厚みが他の部位の厚みより大とされていることを特徴とする異硬度シート。
【請求項４】
請求項１乃至請求項３のいずれかに記載された異硬度シートを備えたことを特徴とする医療用診療台。
【発明の詳細な説明】
【技術分野】
【０００１】
本発明は、患者を水平状態（仰臥或いは横臥状態）で支持する医療用診療台に用いられる異硬度シートとこれを用いる医療用診療台に関する。
【背景技術】
【０００２】
医療用診療台、特に歯科用の診療台の場合、術者の診療・治療作業の間、患者は比較的長い時間その上に仰臥した状態にされる。その為、診療台のシートの状態は患者の受診時の気分に大きく影響する。即ち、シートが硬いと仰臥していることが苦痛となり、また、体圧は部位によってばらつきがあるにも拘わらずシートの硬さが一定している場合は、患者に圧迫感を与えたり、長時間の診療・治療では疲労感を与えたりすることがある。
【０００３】
特許文献１乃至３には、車両用、航空機用、船舶用或いは室内用の椅子やソファ等に用いられる異硬度のクッション材（異硬度フォームの成形物）が開示されている。これらは、いずれも椅子の座席部、背凭れ部或いは側方部等の部位によって硬度を変えるようにしたものであり、これにより利用者の座り心地を良好とし、或いは自動車の運転時のアクセルペダルやブレーキペダル等の踏み込み時の操作性を向上させんとするものである。
【特許文献１】特開昭５７−１４５６２０号公報
【特許文献２】特公平７−３０７号公報
【特許文献３】特開２００２−５２５５０号公報
【発明の開示】
【発明が解決しようとする課題】
【０００４】
上記特許文献に開示された異硬度のクッション材は、いずれも、患者を仰臥状態或いは横臥状態で支持する医療用診療台に適用することを意図したものではない為、必ずしも医療用診療台としての適性を備えているものとは言い難かった。特に、これら異硬度のクッション材は、座席シートに着座するような場合には有効であるが、診療台上に仰臥若しくは横臥する場合には、患者の体圧分布に適合せず、その為、患者に圧迫感を与えたり、長時間の診療・治療では患者に疲労感を与えたりする懸念はなお払拭されるものではなかった。また、硬度の異なる部位間では、硬度差による明確な境界が存在することになる為、広い範囲に亘り患者の体圧分布が及ぶ医療用診療台に適用した場合、この境界部分の存在が患者に不快感を与える原因となり、患者の受診時の緊張感をかえって助長することにもなる。更に、このような境界部分の存在は、シート表面に線が現れ、シートのデザイン性を損なう原因ともなっていた。
【０００５】
本発明は、上記に鑑みなされたものであり、患者の体圧分布に適合し、患者が快く診療・治療を受けることができるような配慮がなされ、且つデザイン性にも優れた異硬度シートとこれを用いた医療用診療台を提供する点にある。
【課題を解決するための手段】
【０００６】
本異硬度シートは、シート底板と、該シート底板上に一体成型されたウレタンフォームからなるクッションシート部と、該クッションシート部の表面を覆う表皮材とよりなり、患者を水平状態で支持する医療用診療台に用いられる異硬度シートであって、上記クッションシート部における患者の肩部、臀部或いは踵部等に相当する部位の少なくとも１つの部位の硬度が、その面域方向及び／又は厚み方向における他の部位の硬度より小さく、且つ当該部位と他の部位間で硬度が徐々に変化するよう構成されていることを特徴とする。
【０００７】
本発明の異硬度シートは、金型内に表皮材を配置し、その上にウレタンフォーム用主原料と硬化剤を含むウレタンフォーム用副原料との混合比率を変えたウレタンフォーム用原料を注入し、更にその上に予め所定の形状に成型されたシート底板を配置し、金型とシート底板間でウレタンフォーム用原料を発泡硬化させてシート底板、クッションシート部及び表皮材が一体とされた成型体からなり、上記主原料と副原料の配合比率の異なるウレタンフォーム用原料の注入によって、クッションシート部における患者の肩部、臀部或いは足部等に相当する部位の少なくとも１つの部位の硬度が、その面域方向及び／又は厚み方向における他の部位の硬度より小さく、且つ当該部位と他の部位間で硬度が徐々に変化するようにしたものであることが望ましい。
【０００８】
本発明においては、前記シート底板が、患者の肩部、臀部或いは足部に相当する部位の少なくとも１つの部位において凹部を備え、この部位のクッションシート部の厚みが他の部位の厚みより大とされているものとすることができる。
【０００９】
また、第２の発明に係る医療用診療台は、上記いずれかの異硬度シートを備えたことを特徴とするものである。
【発明の効果】
【００１０】
本発明の異硬度シート或いはこれを備えた医療用診療台によれば、クッションシート部における患者の肩部、臀部或いは足部に相当する部位の少なくとも１つの部位の硬度が、その面域方向及び／又は厚み方向における他の部位の硬度より小さくされているから、特に患者の体圧が大きく負荷されるこれらの部位で柔軟となり、患者は心地よく仰臥若しくは横臥することができる。また、当該部位と他の部位間で硬度が徐々に変化するようにしているから、硬度差による明確な境界が存在せず、仰臥若しくは横臥する患者に不快感を与えることもない。従って、患者は術者による診療・治療の間、患者に対する圧迫感や疲労感が緩和され、更に、硬度差による明確な境界が存在しないことによりシートのデザイン性が低下することがなく、患者を水平状態で支持する医療用診療台に用いられる異硬度シートとして優れた適性を備えることになる。
【００１１】
また、本発明の異硬度シートを成型によって製造するに際し、主原料と副原料の配合比率の異なるウレタンフォーム用原料を注入するようにすれば、簡易に、クッションシート部における患者の肩部、臀部或いは足部に相当する部位の少なくとも１つの部位の硬度が、その面域方向及び／又は厚み方向における他の部位の硬度より小さく、且つ当該部位と他の部位間で硬度が徐々に変化するようになすことができ、製造コストの高騰を来たすことなく上記のように優れた適性を備えた異硬度シート及び医療用診療台を提供することができる。
【００１２】
更に、前記シート底板が、患者の肩部、臀部或いは足部に相当する部位の少なくとも１つの部位において凹部を備え、この部位のクッションシート部の厚みが他の部位の厚みより大とされているものとすれば、この部位のクッションシート部が柔軟であることによる特性に加え、この部位のクッションシート部の厚みが他の部位の厚みより大とされていることにより、患者の体圧が大きい部位に対する適合性がより向上し、患者に快適感が付与される。
【発明を実施するための最良の形態】
【００１３】
以下、本発明の最良の形態について図面に基づき説明する。図１は本発明の異硬度シート用いた医療用診療台の一例を示す部分破断側面図、図２（ａ）は同診療台上での患者の体圧分布を示す概念図、（ｂ）は同診療台における異硬度シートの硬度変化を示す概念図、（ｃ）は（ｂ）図のＡ−Ａ線における異硬度シートの硬度変化を示すグラフである。図３は同診療台の平面図、図４は同診療台における座板シートを構成するシート底板の平面図、図５は図４のＢ−Ｂ線矢視断面図、図６は同異硬度シートを製造する要領を示す縦断面図、図７及び図８は同医療用診療台の変形例を示す図２（ｂ）と同様図である。
【００１４】
図１は歯科用（医療用）診療台の使用状態を示し、該歯科用診療台１は、床面に設置される基台２に対して上下昇降自在なフットレスト一体型の座板３と、該座板３の一端に起伏自在に連結された背板４と、該背板４の上端に傾倒自在に取付けられたヘッドレスト５とよりなり、仰臥診療及び座位診療が可能とされている。図１は背板４が倒され座板３と一連の水平状態とされ、その上に患者Ｐを支持して仰臥診療する状態を示している。座板３及び背板４は、夫々、座板基体６と座板シート７及び背板基体８と背板シート９よりなり、この座板シート７及び背板シート９が本発明の異硬度シートとされる。
【００１５】
座板シート７及び背板シート９は、夫々、樹脂成型によるシート底板７ａ，９ａと、該シート底板７ａ，９ａ上に一体成型されたウレタンフォームからなるクッションシート部７ｂ，９ｂと、該クッションシート部７ｂ，９ｂの表面を覆うレザーシート等からなる表皮材７ｃ，９ｃとよりなる。図１に２点鎖線で示す７Ａ部、７Ｂ部及び９Ａ部は、夫々、患者Ｐの臀部、足部（ふくらはぎ部と踵部の少なくとも１つを含む、以下同様）及び肩部（頸部を含むようにしても構わない、以下同様）に相当する部位であり、クッションシート部７ｂ，９ｂにおけるこれらの部位の硬度が、その面域方向及び／又は厚み方向における他の部位の硬度より小さくされている。
【００１６】
図２（ａ）は、図１のように診療台１上に仰臥した一般的な患者Ｐによる体圧の分布状態の実証結果を示している。斜線の幅が狭くなる程体圧が大きく、斑点部分でより大きくなることを示している。この図からも、患者の肩部、臀部及び足部で特に体圧が大きいことが理解される。このような臨床的な実証結果に基づき、本発明では、図２（ｂ）（ｃ）のように上記部位７Ａ部、７Ｂ部及び９Ａ部におけるクッションシート部７ｂ，９ｂの硬度を、面域方向の他の部位より小さくして、これらの部位に柔軟性を付与している。そして、図２（ｃ）に示すように、当該部位７Ａ部、７Ｂ部及び９Ａ部と他の部位間で、硬度が徐々に変化し、これらの部位間で硬度差による明確な境界が存在しないような硬度の変化状態とされている。尚、図２（ｃ）の縦軸は硬度を示し、横軸は上記Ａ−Ａ線に沿った部位を示している。
【００１７】
シート底板７ａ，９ａは樹脂成型により所望形状に形成されたものであり、図１及び図３乃至図５に示すように、座板用シート底板７ａには、７Ａ部及び７Ｂ部に相当する部位に凹部７ａａ，７ａｂが形成されている。従って、患者の臀部及び足部に相当する部位７Ａ部及び７Ｂ部では、上記のようにクッションシート部７ｂが他の部位より柔軟であると共にその厚みが大とされており、臀部及び足部の大きな体圧に対する抵抗を緩和し、仰臥する患者に快適さを付与する。尚、背板用シート底板９ａにこのような凹部を形成しても良いことは言うまでもなない。
【００１８】
上記のような異硬度シート（座板シート７、背板シート９）を製造する要領を図６を参照して略述する。図６において、所定形状（所望のシート形状）のキャビティー１０ａを備える金型１０を準備し、このキャビティー１０ａの底部に吸引口１０ｂから吸引しながらレザーシート等からなる表皮材７ｃ（９ｃ）を表面を下にして配置する。次いで、予め主原料及び副原料の配合比率を変えて調合した複数種のウレタンフォーム用原料を、複数の注入ノズル１１，１２，１３…より同時注入し、その後、シート底板７ａ（９ａ）を天地逆にしてこの上に被せて固定し、金型１０とシート底板７ａ（９ａ）との間でウレタンフォーム用原料を発泡硬化させて、シート底板７ａ（９ａ）、クッションシート部７ｂ（９ｂ）及び表皮材７ｃ（９ｃ）が一体とされた成型体７０（９０）を得る。表皮材７ｃ（９ｃ）の周辺部分を切除する等の仕上げをして異硬度シート（座板シート７、背板シート９）が得られる。
【００１９】
また、異硬度シートを製造する他の要領として、１つの注入ノズルが１１の位置にある時に主原料と副原料の配合比率を変えて調合したウレタンフォーム用原料を一定量注入し、その後、注入ノズルを１２の位置に移動させ、注入ノズル１１から注入したウレタンフォーム用原料と硬度が異なるように主原料と副原料の配合比率を変えて調合したウレタンフォーム用原料を注入する。更に注入ノズルを１３の位置に移動させて、同様に主原料と副原料の配合比率を変えて調合したウレタンフォーム用原料を注入する。これらを繰り返し金型１０に注入し、その後、シート底板７ａ（９ａ）を天地逆にしてこの上に被せて固定し、金型１０とシート底板７ａ（９ａ）との間でウレタンフォーム用原料を発泡硬化させて、シート底板７ａ（９ａ）、クッションシート部７ｂ（９ｂ）及び表皮材７ｃ（９ｃ）が一体とされた成型体７０（９０）を得る。表皮材７ｃ（９ｃ）の周辺部分を切除する等の仕上げをして異硬度シート（座板シート７、背板シート９）が得られる。
【００２０】
このとき、注入ノズル１１，１２，１３…から金型１０に注入するウレタンフォーム用原料の量を変更することや、注入ノズル１１，１２，１３…から注入する順序を変更することにより、様々なタイプの異硬度シートを得ることができる。
【００２１】
また、異硬度シートを製造する更に別の要領として、１つの注入ノズルを１１，１２，１３…と移動させながら、ウレタンフォーム用主原料と副原料の配合比率を変えながら調合したウレタンフォーム用原料を常時、金型１０に注入し、その後、シート底板７ａ（９ａ）を天地逆にしてこの上に被せて固定し、金型１０とシート底板７ａ（９ａ）との間でウレタンフォーム用原料を発泡硬化させて、シート底板７ａ（９ａ）、クッションシート部７ｂ（９ｂ）及び表皮材７ｃ（９ｃ）が一体とされた成型体７０（９０）を得る。表皮材７ｃ（９ｃ）の周辺部分を切除する等の仕上げをして異硬度シート（座板シート７、背板シート９）が得られる。
【００２２】
このとき、注入ノズルに導入されるウレタンフォーム用主原料と副原料の配合比率（量）を常時変更することにより、より効果的に混合度合いがグラデーション的になされ、これに対応して硬度もグラデーション的に変化し、明確な硬度差の境界が形成されることがない。
【００２３】
上記の注入ノズルを移動させて注入する方法においては、注入ノズルの上方に図示しない調合機を更に備え、調合機に注入されるウレタンフォーム用主原料及び副原料の配合比率を変えるようにし、ノズルには調合されたウレタンフォーム用原料を供給するようにすればよい。
【００２４】
このとき、注入ノズルが移動する間に、調合機に注入されるウレタンフォーム用主原料と副原料の配合比率を変えるようにしておけば、スムーズにウレタンフォーム用原料を金型１０に注入することができる。
【００２５】
上記ウレタンフォーム用原料は、主剤としてのポリオールを含む主原料と、硬化剤としてのポリイソシネートを含む副原料とよりなる。副原料は、硬化剤の他に触媒、発泡剤、架橋剤、整泡剤を含み、必要によって難燃剤、充填剤、着色剤、安定剤等を含むものである。主原料に対する副原料の配合比率を大とすると、形成されるウレタンフォームの硬度が大きく、同配合比率を小とすると、同ウレタンフォームの硬度が小さくなる。従って、上記のように部位７Ａ部、７Ｂ部及び９Ａ部に相当する部位においては、副原料の配合比率が小さくなるよう調合されたウレタンフォーム用原料を、その他の部位では副原料の配合比率が大きくなるよう調合されたウレタンフォーム用原料を、注入する。
【００２６】
図６の例では、ノズル１２の位置より副原料の配合比率が小さいウレタンフォーム用原料を、ノズル１１，１３の位置より副原料の配合比率が大きいウレタンフォーム用原料を注入する。この注入後の発泡硬化過程では、各ノズル１１，１２，１３の位置から注入された配合比率の異なるウレタンフォーム用原料が混ざり合いながら発泡硬化する。特に、各ノズル位置から注入されるウレタンフォーム用原料は同質のものであるから、この混ざり合いながらの発泡硬化は分離や偏析等を起こすことなく好適になされる。従って、形成されるウレタンフォームの硬度は、上記部位７Ａ部、７Ｂ部及び９Ａ部とその他の部位間で、混合度合いがグラデーション的になされ、これに対応して硬度もグラデーション的に変化し、明確な硬度差の境界が形成されることがない。その為、仰臥する患者に硬度差による違和感や不快感を与えることがない。このような硬度は、上記配合比率を変えることにより、各部位毎に適宜設定することができる。例えば、体圧が集中的に負荷される足部で最も軟らかくし、広い範囲で大きな体圧が負荷される臀部や肩部では足部よりやや硬くし、その他の部分では更に硬くするなど、臨床的に検証を繰り返すことによって適正な硬度の分布パターンの設定がなされる。厚み方向に同様の硬度差を付与する場合には、注入ノズルの注出口の位置を厚み方向に変えることによって可能であり、また、面域方向及び厚み方向において硬度差を付与する場合にはこれらを併用することで可能とされる。
【００２７】
上記主原料中のポリオールとしては、水、エチレングリコール、プロピレングリコール、ジエチレングリコール、トリエチレングリコール、ジプロピレングリコール、トリメチレングリコール、1,3−及び1,4−ブタンジオール、1,5ーペンタンジオール、グリセリン、1,2,6−ヘキサントリオール、1,1,1−トリメチロールエタン、1,1,1−トリメチロールプロパン、ペンタエリスリット、ソルビット、ショ糖、乳糖、α−メチルグルコシド、ノボラツク樹脂、りん酸、ポリりん酸などの多価ヒドロキシ化合物、アニリン、エチレンジアミン、ジエチレントリアミン、トリエチレンテトラミン、メチレンオルソクロルアニリン、4,4′−ジフェニルメタンジアミン、2,4−トリレンジアミン、2,6−トリレンジアミンなどのアミン類、トリエタノールアミン、ジエタノールアミンなどのアルカノールアミン類にエチレンオキシド、プロピレンオキシド、ブチレンオキシド、テトラヒドロフラン、スチレンオキシド等の１種又は２種以上を付加せしめて得られるポリエーテルポリオール類、又はポリテトラメチレンエーテルグリコールが用いられ、この内ポリエーテルポリオール類が望ましく採用される。
【００２８】
また、硬化剤としてのポリイソシアネートとしては、2,4−トリレンジイソシアネート、2,6−トリレンジイソシアネート、この両イソシアネートの混合物、粗製トリレンジイソシアネート（粗製TDI）、4,4′−ジフェルメタンジイソシアネート（4,4′‐MDI）、2,4′−ジフェルメタンジイソシアネート（2,4′‐MDI）、2,2′−ジフェルメタンジイソシアネート（2,4′−MDI）、ジフェニルメタンジイソシアネートの異性体混合物（MDI）、ポリメチレンポリフェニルポリイソシアネート（粗製MDI）、トルイジンジイソシアネート、キシリレンジイソシアネート、ヘキサメチレンジイソシアネート、イソホロンジイソシアネート、ジシクロヘキシルメタンジイソシアネート、及びこれらのイソシアネートのカルボジイミド変性体、ビュレット変性体、二量体、三量体、プレポリマーが用いられる。この内ＭＤＩ類が望ましく採用される。
【００２９】
図７及び図８は、歯科用診療台の変形例を示すものであり、これらの診療台及び上記歯科用診療台１の全体形状は、既存の各種歯科用診療台と同様である。図７に示す歯科用診療台１Ａは、異硬度シートが、フットレスト、座板及び背板が一体のベッド３０のベッドシート部からなり、このベッド３０のベッドシート部においては、患者の肩部、臀部及び足部に相当する上記同様の部位９Ａ，７Ａ及び７Ｂのクッションシート部の硬度が、その他の部位の硬度より小とされ、このような異硬度シートは上記と同様に製造される。
【００３０】
また、図８に示す歯科用診療台１Ｂは、図１乃至図３に示す診療台１における座板３のフットレスト部が別体とされ、座板３の一端に屈曲可能なフットレスト３ａが連接され、更にこのフットレスト３ａに屈曲可能にステップ３ｂが連接された椅子型の診療台である。通常の歯科診療においてはこれらが一連の水平状態とされ、患者は仰臥状態に支持される。背板４、座板３及びフットレスト３ａの各シート部は、個々に製造される上記同様の異硬度シートからなり、背板４における患者の肩部に相当する部位９Ａ、座板３における患者の臀部に相当する部位７Ａ、及びフットレスト３ａにおける患者の足部に相当する部位７Ｂ’のクッションシート部の硬度が、上記と同様にその他の部位の硬度より小とされている。この例の診療台１Ｂは、患者が乗り降りする際、背板４、フットレスト３ａ及びステップ３ｂが起立及び屈折されて椅子型とされ、患者はステップ３ｂに踏乗して乗り降りすることになるから、ステップ３ｂにはクッションシート部が設けられず、従って、図8の足部に相当する部位７Ｂ’は、ふくらはぎ部に相当する部位となり、踵部に相当する部位は存在しない。
【００３１】
図７及び図８に示す歯科用診療台１Ａ，１Ｂにおいても、上記異硬度シートを採用することにより、患者が快く診療・治療を受けることができ、またデザイン性に優れた診療台とすることができる。
【００３２】
尚、上記実施形態では、座板３、背板４、フットレスト３ａ、或いはこれらの一体型ベッド３０に異硬度シートを適用した例について述べたが、ヘッドレスト５においても同様の異硬度シートを採用することができる。また、歯科用診療台についての例を述べたが、その他の外科用診療台、耳鼻科用診療台、産婦人科用診療台にも適用することができる。更に、医療分野によっては、患者を横臥状態で診療・治療することもあり、このような医療分野の診療台の場合には、横臥状態の体圧分布に合わせてクッションシート部の硬度分布が設定されるべきことは言うまでもない。
【図面の簡単な説明】
【００３３】
【図１】本発明の異硬度シート用いた医療用診療台の一例を示す部分破断側面図である。
【図２】（ａ）は同診療台上での患者の体圧分布を示す概念図、（ｂ）は同診療台における異硬度シートの硬度変化を示す概念図、（ｃ）は（ｂ）図のＡ−Ａ線における異硬度シートの硬度変化を示すグラフである。
【図３】同診療台の平面図である。
【図４】同診療台における座板シートを構成するシート底板の平面図である。
【図５】図４のＢ−Ｂ線矢視断面図である。
【図６】同異硬度シートを製造する要領を示す縦断面図である。
【図７】同医療用診療台の変形例を示す図２（ｂ）と同様図である。
【図８】同医療用診療台の更に別の変形例を示す図２（ｂ）と同様図である。
【符号の説明】
【００３４】
１              歯科用（医療用）診療台
１Ａ            歯科用（医療用）診療台
１Ｂ            歯科用（医療用）診療台
７              座板シート（異硬度シート）
７ａ            シート底板
７ａａ          凹部
７ａｂ          凹部
７ｂ            クッションシート部
７ｃ            表皮材
７Ａ            臀部に相当する部位
７Ｂ            足部に相当する部位
７０            成型体
９              背板シート（異硬度シート）
９ａ            シート底板
９ｂ            クッションシート部
９ｃ            表皮材
９Ａ            肩部に相当する部位
１０            金型
９０            成型体
【図１】
2008048941.tif 000003
【図２】
2008048941.tif 000004
【図３】
2008048941.tif 000005
【図４】
2008048941.tif 000006
【図５】
2008048941.tif 000007
【図６】
2008048941.tif 000008
【図７】
2008048941.tif 000009
【図８】
2008048941.tif 000010
【手続補正書】
【提出日】平成18年8月28日(2006.8.28)
【手続補正１】
【補正対象書類名】図面
【補正対象項目名】全図
【補正方法】変更
【補正の内容】
【図１】
2008048941.tif 000011
【図２】
2008048941.tif 000012
【図３】
2008048941.tif 000013
【図４】
2008048941.tif 000014
【図５】
2008048941.tif 000015
【図６】
2008048941.tif 000016
【図７】
2008048941.tif 000017
【図８】
2008048941.tif 000018